(57)【要約】  【課題】  カテーテルの径が大きい場合でも、造影マーカー部分の剛性を低く抑えて柔軟性を有すると共に、高いＸ線造影性を有する医療用カテーテルを提供することである。【解決手段】  基端部から先端部に連続するルーメンを有する可撓性チューブを備える医療用カテーテル１であって、前記可撓性チューブの先端部に中実の造影マーカー部材２を埋設する構成とした。また、前記可撓性チューブが複数のルーメンを備えており、そのうちのいずれか一つのルーメンに前記造影マーカー部材を埋設する構成とした。【選択図】    図１
2008125852.tif 000002
【特許請求の範囲】
【請求項１】
基端部から先端部に連続するルーメンを有する可撓性チューブを備える医療用カテーテルであって、前記可撓性チューブの先端部に造影マーカー部材を埋設していることを特徴とする医療用カテーテル。
【請求項２】
前記可撓性チューブが複数のルーメンを備えており、そのうちのいずれか一つのルーメンに前記造影マーカー部材を埋設したことを特徴とする請求項１に記載の医療用カテーテル。
【請求項３】
前記造影マーカー部材がＸ線不透過金属の短寸中実丸棒であることを特徴とする請求項１または２に記載の医療用カテーテル。
【請求項４】
前記造影マーカー部材を埋設しているルーメンが、造影マーカー部材装填後にその終端部を閉塞し、前記造影マーカー部材の設置位置を固定した構成とされていることを特徴とする請求項１から３のいずれかに記載の医療用カテーテル。
【発明の詳細な説明】
【技術分野】
【０００１】
本発明は、医療用カテーテルに関し、特に、造影マーカーを備える医療用カテーテルに関するものである。
【背景技術】
【０００２】
従来、血管内に挿入・留置するカテーテルを介して、血管内に薬液や栄養を注入したり、血液を採取して検査したり、血液を体外に循環させて血液を透析するなどの医療行為が広く行われている。
また、カテーテルの形状としては、単管構造のカテーテルや、２本又はそれ以上の管を複合させた構造のカテーテルなど、その医療の目的に応じて種々の構造のものが使用されている。
【０００３】
このような生体内に挿入する医療用カテーテルを使用する際には、その生体内における位置を確認しながら医療行為を行うことが望ましく、カテーテルの中に、Ｘ線不透過材料を混入させてカテーテルの留置位置を確認できるようにしたものがある。この構成であれば、患者の血管にカテーテルを留置した状態で、Ｘ線を照射してＸ線不透過材料が混入された部分を映し出すことによりカテーテルの位置を確認することができる。
そのために、可撓性のプラスチック管からなるカテーテルの一部にＸ線不透過材料からなるコイル状の造影マーカーをチューブの外側に装着したものが既に公開されている（例えば、特許文献１参照）。
また、カテーテル管の遠位端部にＸ線造影性元素の粒子を注入して、外径を大きくすることなくＸ線造影が可能となるバルーンカテーテルが既に公開されている（例えば、特許文献２参照）。
【０００４】
【特許文献１】特開２００６−２７１９０１号公報（第１−６頁、第１図）
【特許文献２】特開平９−２３９０３４号公報（第１−８頁、第１図）
【発明の開示】
【発明が解決しようとする課題】
【０００５】
しかし、リング状やコイル状の造影マーカーをチューブの外側に装着するカテーテルの場合は、カテーテルの径が大きくなるに伴いその径も大きくなって、造影マーカーの部分の剛性が高くなってしまい、病変部通過性が劣ってしまうという問題を生じる。
また、Ｘ線造影性元素の粒子を注入したカテーテルであれば、カテーテルの径を小さくできると共に、造影マーカーの部分の剛性も低くすることが可能である。しかし、ただ粒子を注入しただけなので、Ｘ線を照射した際の造影が薄く、明瞭に造影できないという問題がある。
【０００６】
本発明の目的は、上記問題を解決するために、カテーテルの径が大きい場合でも、造影マーカー部分の剛性を低く抑えて柔軟性を有すると共に、高いＸ線造影性を有する医療用カテーテルを提供することである。
【課題を解決するための手段】
【０００７】
上記の目的を達成するために請求項１に係る発明は、基端部から先端部に連続するルーメンを有する可撓性チューブを備える医療用カテーテルであって、前記可撓性チューブの先端部に中実の造影マーカー部材を埋設していることを特徴としている。
上記の構成を有する請求項１に係る発明によれば、造影マーカー部材をチューブ内に埋設しているので、造影マーカー部分の剛性を低く抑えて柔軟性を有すると共に高いＸ線造影性を発揮することができる。
【０００８】
請求項２に係る発明は、前記可撓性チューブが複数のルーメンを備えており、そのうちのいずれか一つのルーメンに前記造影マーカー部材を埋設したことを特徴としている。
上記の構成を有する請求項２に係る発明によれば、複数のルーメンのなかの一つのルーメン内に造影マーカー部材を装填するので、カテーテルの径を小さな径に維持することができる。さらに、ルーメン内に造影マーカー部材を埋設しているので、造影マーカー部材が脱落することもなく安全な医療用カテーテルとなる。
【０００９】
請求項３に係る発明は、前記造影マーカー部材がＸ線不透過金属の短寸中実丸棒であることを特徴としている。
上記の構成を有する請求項３に係る発明によれば、短寸で小径の中実丸棒の造影マーカーを装填しているので、カテーテルの剛性を高くすることもなく、さらに全体的に柔軟な医療用カテーテルを得ることができる。
【００１０】
請求項４に係る発明は、前記造影マーカー部材を埋設しているルーメンが、造影マーカー部材装填後にその終端部を閉塞し、前記造影マーカー部材の設置位置を固定した構成とされていることを特徴としている。
上記の構成を有する請求項４に係る発明によれば、造影マーカー部材を医療用カテーテル先端の所定位置に確実に固定することができる。
【発明の効果】
【００１１】
本発明によれば、可撓性チューブのルーメンの先端部に造影マーカー部材を埋設する構成としたので、剛性を高くすることもなく全体的に柔軟であると共に、高いＸ線造影性を発揮する医療用カテーテルを得ることができる。
【発明を実施するための最良の形態】
【００１２】
以下、本発明に係る医療用カテーテルの実施の形態について、図面を用いて詳細に説明する。
本発明に係る医療用カテーテル１は、図１に示すように、薬液投与や血栓吸引用等の断面積の大きな主ルーメン３と、断面積の小さな第一副ルーメン４とを備える多重ルーメンカテーテルである。前記第一副ルーメン４は、例えばガイドワイヤー挿通用あるいは芯線挿通用のルーメンであって、先端シャフト部１０では、そのルーメン終端部を閉塞した状態とされている。
【００１３】
そこで、本実施の形態においては、閉塞されるルーメン終端部に造影マーカー部材２を埋設する構成とした。この造影マーカー部材２としては、ルーメン内もしくはチューブ材に埋設可能な形状であればよく、中実丸棒、パイプ状あるいはコイル状のものが適用可能である。いずれの形状の造影マーカー部材２であっても、チューブの先端部に埋設する構成であれば、カテーテルの径が大きい場合でも、造影マーカー部分の剛性を低く抑えて柔軟性を発揮することができる。
【００１４】
また、小径のルーメン内に埋設する際には、その製造容易性と高いＸ線造影性を発揮するために中実丸棒の造影マーカー部材が好ましい。
そのために、断面円形の第一副ルーメン４内に埋設する造影マーカー部材２は、Ｘ線不透過金属の短寸中実丸棒としている。この中実丸棒の造影マーカー部材２の材質は、例えば、白金、金、タングステン、チタン、アルミニウム、スズ、ニッケル、クロム、ビスマス、銅、亜鉛、鉛、あるいはこれらの合金製とすることができる。特に、生体に対する安全性とＸ線照射による造影効果の観点から、できるだけ白金製であることが好ましい。
この造影マーカー部材２を埋設する際には、先端シャフト部１０の未だ閉塞していない第一副ルーメン４に、前記造影マーカー部材２を装填し、その後で、前記第一副ルーメン４終端部を加熱しながら押圧して閉塞することで、前記造影マーカー部材２を所定位置に固定することができる。
【００１５】
上記のように、カテーテルの先端部に、短寸で小径の中実丸棒の造影マーカー部材を埋設した構成の医療用カテーテル１としているので、カテーテル外周部にリング状の造影マーカーを装着した構成よりも柔軟性が向上する。また、小径の副ルーメン内に装填するので、局所的な硬度を低く抑えることができる。さらに、ルーメン終端部を閉塞するので、脱落する虞もない。
そのために、生体内に挿入するカテーテルの先端部の柔軟性を損なうこともなく、挿入時に不都合な方向に曲がることもなく、生体組織を損傷する危険も小さくなるという効果を発揮することができる。
【００１６】
図２には図１のＡ−Ａ断面を示している。医療用カテーテル１は、例えば、主ルーメン３と第一副ルーメン４と第二副ルーメン５とを備える三つのルーメンを有するトリプルルーメンチューブから構成されており、その中の、例えば芯線を挿通するためのルーメンであり終端部付近が空洞となっている第一副ルーメン４の空洞部内に中実の造影マーカー部材２を埋設し、その後で終端を閉塞する構成としている。
閉塞するルーメン内に造影マーカー部材２を埋設する構成なので、閉塞する前に、接着剤を用いて所定の位置に位置決めしておくことも可能であり、その後でルーメンを閉塞する操作でさらに強固に固定することができる。この構成であれば、接着剤が血管内に漏洩することもなく、生体に悪影響を与えることもない。
【００１７】
また、図３に示すような主ルーメン３Ａと副ルーメン５Ａを備えるダブルルーメンチューブであれば、副ルーメン５Ａの先端部に埋設することができる。
いずれにしても、小径の副ルーメン内に中実丸棒の造影マーカー部材を埋め込む構成であって、脱落する虞もなく、チューブ外側に異物が露出することもない。さらに、中実丸棒の金属製マーカーとしているので、高いＸ線造影性を発揮する。そのために、埋め込む造影マーカー部材２の長さは１〜２ｍｍの短寸でよく、このような小さい造影マーカー部材２を埋設した医療用カテーテル１であっても、Ｘ線による造影効果を発揮し血管内の位置を確実に把握することができる。
また、造影マーカー部材２を、副ルーメン内に埋設する短寸で小径の中実丸棒としているので、カテーテルの剛性を高くすることもなく、全体的に柔軟な医療用カテーテル１を構成することができる。
【００１８】
上記の構成の医療用カテーテルであれば、カテーテルの径が大きい場合であっても、小径の中実丸棒の造影マーカー部材を埋め込むだけでよく、従来のカテーテルのような大きな径の造影マーカーを用いることに起因する、局所的な硬度の増加や剛性の増加を防止することができる。
【００１９】
さらに、小径の中実丸棒の造影マーカー部材を埋め込む構成であるので、小さな径のカテーテルにも容易に対応可能であり、種々のサイズのカテーテルに好適な造影手段を備える医療用カテーテルを得ることができる。
特に、ダブルルーメンカテーテルやマルチルーメンカテーテル等の、主ルーメン以外に小径の副ルーメンを有するカテーテルに本発明に係る造影マーカー部材２が好適に適用可能であり、先端の空洞となっている副ルーメン部を利用して、カテーテル先端部の柔軟性を維持しながら、高いＸ線造影性を発揮する医療用カテーテルを得ることができる。
【００２０】
上記したように本発明によれば、可撓性チューブのルーメン先端部に中実の造影マーカー部材を埋設する構成としたので、高いＸ線造影性を発揮してチューブの位置が確認容易であり、チューブの剛性を高くすることもなく全体的に柔軟な医療用カテーテルを得ることができる。
【図面の簡単な説明】
【００２１】
【図１】本発明に係る医療用カテーテルの一例を示す正面図である。
【図２】図１のＡ−Ａ断面図である。
【図３】別実施例の断面図である。
【符号の説明】
【００２２】
１  医療用カテーテル
２  造影マーカー部材
３  主ルーメン
４  第一副ルーメン
５  第二副ルーメン
１０  先端シャフト部
【図１】
2008125852.tif 000003
【図２】
2008125852.tif 000004
【図３】
2008125852.tif 000005